(57)【特許請求の範囲】
【請求項１】
第１コンテンツ記録装置と、該第１コンテンツ記録装置に接続可能であり、該第１記録装置に記録させるコンテンツと同一のコンテンツを記録させる１又は複数の第２コンテンツ記録装置とを備え、
該第１コンテンツ記録装置が、
コンテンツを記憶するための第１記憶部と、
該第２コンテンツ記録装置から、該第２コンテンツ記録装置で対応可能なコンテンツ形式の情報を受信する情報受信手段と、
該第１コンテンツ記録装置、及び、１又は複数の該第２コンテンツ記録装置毎に、コンテンツを記録する際のコンテンツ形式を設定する設定手段と、
外部の記録媒体に記録されているコンテンツを読み出して、該設定手段によって設定された該第１コンテンツ記録装置に対するコンテンツ形式に、読み出したコンテンツを変換し、該第１記憶部に記憶させる変換手段と、
該第１コンテンツ記録装置によって、該設定手段によって設定された該第２コンテンツ記録装置に対するコンテンツ形式にコンテンツを変換可能か否かを判断する判断手段と、
該判断手段によって変換可能と判断されたとき、該変換手段によって生成されたコンテンツ、又は、該記録媒体から読み出した未変換のコンテンツを、該設定手段によって設定された該第２コンテンツ記録装置に対するコンテンツ形式に変換し、変換したコンテンツを該第２コンテンツ記録装置に送信する第１コンテンツ送信手段と、
該判断手段によって変換不可能と判断されたとき、該変換手段によって生成されたコンテンツ、又は、該記録媒体から読み出した未変換のコンテンツと、該設定手段によって設定された該第２コンテンツ記録装置に対するコンテンツ形式の情報を含む変換指示とを該第２コンテンツ記録装置に送信する第２コンテンツ送信手段とを有し、
該第２コンテンツ記録装置が、
コンテンツを記憶するための第２記憶部と、
該第１コンテンツ記録装置に、該第２コンテンツ記録装置で対応可能なコンテンツ形式の情報を送信する情報送信手段と、
該第１コンテンツ記録装置から、コンテンツのみを受信する、又は、コンテンツと該変換指示とを受信するコンテンツ受信手段と、
該コンテンツ受信手段によって該変換指示を受信しない場合には、受信したコンテンツを該第２記憶部に記憶させ、該コンテンツ受信手段によって該変換指示を受信する場合には、受信したコンテンツを該変換指示に含まれるコンテンツ形式に変換し、該第２記憶部に記憶させる記録手段とを有する、コンテンツ記録システム。
【請求項２】
前記第１コンテンツ記録装置が、
前記設定手段によって設定された第１コンテンツ記録装置に対するコンテンツ形式から、該設定手段によって設定された第２コンテンツ記録装置に対するコンテンツ形式に、前記第２コンテンツ記録装置が変換可能か否かを判断する第２判断手段をさらに有し、
該第２判断手段によって変換可能であると判断されたとき、前記第２コンテンツ送信手段が、前記変換手段によって生成されたコンテンツと、前記変換指示とを該第２コンテンツ記録装置に送信し、
該第２判断手段によって変換不可能であると判断されたとき、該第２コンテンツ送信手段が、前記記録媒体から読み出した未変換のコンテンツと、該変換指示とを該第２コンテンツ記録装置に送信する、請求項１に記載のコンテンツ記録システム。
【請求項３】
請求項１または２に記載のコンテンツ記録システムに適用される第１コンテンツ記録装置であって、
コンテンツを記憶するための第１記憶部と、
前記第２コンテンツ記録装置から、該第２コンテンツ記録装置で対応可能なコンテンツ形式の情報を受信する情報受信手段と、
該第１コンテンツ記録装置、及び、１又は複数の該第２コンテンツ記録装置毎に、コンテンツを記録する際のコンテンツ形式を設定する設定手段と、
外部の記録媒体に記録されているコンテンツを読み出して、該設定手段によって設定された該第１コンテンツ記録装置に対するコンテンツ形式に、読み出したコンテンツを変換し、該第１記憶部に記憶させる変換手段と、
該第１コンテンツ記録装置によって、該設定手段によって設定された該第２コンテンツ記録装置に対するコンテンツ形式にコンテンツを変換可能か否かを判断する判断手段と、
該判断手段によって変換可能と判断されたとき、該変換手段によって生成されたコンテンツ、又は、該記録媒体から読み出した未変換のコンテンツを、該設定手段によって設定された該第２コンテンツ記録装置に対するコンテンツ形式に変換し、変換したコンテンツを該第２コンテンツ記録装置に送信する第１コンテンツ送信手段と、
該判断手段によって変換不可能と判断されたとき、該変換手段によって生成されたコンテンツ、又は、該記録媒体から読み出した未変換のコンテンツと、該設定手段によって設定された該第２コンテンツ記録装置に対するコンテンツ形式の情報を含む変換指示とを該第２コンテンツ記録装置に送信する第２コンテンツ送信手段とを有する、第１コンテンツ記録装置。
【請求項４】
請求項３に記載の第１コンテンツ記録装置の動作プログラムであって、
前記第２コンテンツ記録装置から、該第２コンテンツ記録装置で対応可能なコンテンツ形式の情報を受信する情報受信ステップと、
該第１コンテンツ記録装置、及び、１又は複数の該第２コンテンツ記録装置毎に、コンテンツを記録する際のコンテンツ形式を設定する設定ステップと、
外部の記録媒体に記録されているコンテンツを読み出して、該設定ステップによって設定された該第１コンテンツ記録装置に対するコンテンツ形式に、読み出したコンテンツを変換し、前記第１記憶部に記憶させる変換ステップと、
該第１コンテンツ記録装置によって、該設定ステップによって設定された該第２コンテンツ記録装置に対するコンテンツ形式にコンテンツを変換可能か否かを判断する判断ステップと、
該判断ステップによって変換可能と判断されたとき、該変換ステップによって生成されたコンテンツ、又は、該記録媒体から読み出した未変換のコンテンツを、該設定ステップによって設定された該第２コンテンツ記録装置に対するコンテンツ形式に変換し、変換したコンテンツを該第２コンテンツ記録装置に送信する第１コンテンツ送信ステップと、
該判断ステップによって変換不可能と判断されたとき、該変換ステップによって生成されたコンテンツ、又は、該記録媒体から読み出した未変換のコンテンツと、該設定ステップによって設定された該第２コンテンツ記録装置に対するコンテンツ形式の情報を含む変換指示とを該第２コンテンツ記録装置に送信する第２コンテンツ送信ステップとをコンピュータに実行させる、第１コンテンツ記録装置の動作プログラム。
【請求項５】
請求項１または２に記載のコンテンツ記録システムに適用される第２コンテンツ記録装置であって、
コンテンツを記憶するための第２記憶部と、
前記第１コンテンツ記録装置に、該第２コンテンツ記録装置で対応可能なコンテンツ形式の情報を送信する情報送信手段と、
該第１コンテンツ記録装置から、コンテンツのみを受信する、又は、コンテンツと該変換指示とを受信するコンテンツ受信手段と、
該コンテンツ受信手段によって該変換指示を受信しない場合には、受信したコンテンツを該第２記憶部に記憶させ、該コンテンツ受信手段によって該変換指示を受信する場合には、受信したコンテンツを該変換指示に含まれるコンテンツ形式に変換し、該第２記憶部に記憶させる記録手段とを有する、第２コンテンツ記録装置。
【請求項６】
請求項５に記載の第２コンテンツ記録装置の動作プログラムであって、
前記第１コンテンツ記録装置に、該第２コンテンツ記録装置で対応可能なコンテンツ形式の情報を送信する情報送信ステップと、
該第１コンテンツ記録装置から、コンテンツのみを受信する、又は、コンテンツと該変換指示とを受信するコンテンツ受信ステップと、
該コンテンツ受信ステップによって該変換指示を受信しない場合には、受信したコンテンツを前記第２記憶部に記憶させ、該コンテンツ受信ステップによって該変換指示を受信する場合には、受信したコンテンツを該変換指示に含まれるコンテンツ形式に変換し、該第２記憶部に記憶させる記録ステップとをコンピュータに実行させる、第２コンテンツ記録装置の動作プログラム。
【請求項７】
第１記憶部を有する第１コンテンツ記録装置と、第２記憶部を有し、該第１コンテンツ記録装置に接続可能な１又は複数の第２コンテンツ記録装置とにコンテンツを記録するコンテンツ記録方法であって、
該第２コンテンツ記録装置から該第１コンテンツ記録装置に、該第２コンテンツ記録装置で対応可能なコンテンツ形式の情報を送信する情報送信ステップと、
該第１コンテンツ記録装置、及び、１又は複数の該第２コンテンツ記録装置毎に、コンテンツを記録する際のコンテンツ形式を設定する設定ステップと、
外部の記録媒体に記録されているコンテンツを読み出して、該設定ステップによって設定された該第１コンテンツ記録装置に対するコンテンツ形式に、読み出したコンテンツを変換し、該第１記憶部に記憶させる変換ステップと、
該第１コンテンツ記録装置によって、該設定ステップによって設定された該第２コンテンツ記録装置に対するコンテンツ形式にコンテンツを変換可能か否かを判断する判断ステップと、
該判断ステップによって変換可能と判断されたとき、該変換ステップによって生成されたコンテンツ、又は、該記録媒体から読み出した未変換のコンテンツを、該設定ステップによって設定された該第２コンテンツ記録装置に対するコンテンツ形式に変換し、変換したコンテンツを該第１コンテンツ記録装置から該第２コンテンツ記録装置に送信する第１コンテンツ送信ステップと、
該判断ステップによって変換不可能と判断されたとき、該変換ステップによって生成されたコンテンツ、又は、該記録媒体から読み出した未変換のコンテンツと、該設定ステップによって設定された該第２コンテンツ記録装置に対するコンテンツ形式の情報を含む変換指示とを該第１コンテンツ記録装置から該第２コンテンツ記録装置に送信する第２コンテンツ送信ステップと、
該変換指示が送信されない場合には、受信したコンテンツを該第２記憶部に記憶させ、該変換指示が送信される場合には、受信したコンテンツを該変換指示に含まれるコンテンツ形式に変換し、該第２記憶部に記憶させる記録ステップとを含む、コンテンツ記録方法。
【発明の詳細な説明】
【技術分野】
【０００１】
本発明は、第１コンテンツ記録装置および第２コンテンツ記録装置に、同一コンテンツを各装置に対して設定されたコンテンツ形式で記録するコンテンツ記録システムに関する。
【背景技術】
【０００２】
ＰＣ（パーソナルコンピュータ）にＣＤから読み出された曲データを記録して、ＰＣに記録された曲データを再生することや、ＨＤＤ（Hard Disk Drive）を備えるオーディオ機器であるＨＤＤレコーダにＣＤから読み出された曲データを記録して、ＨＤＤに記録された曲データを再生することが行われている。最近のＰＣは、処理能力の高いＣＰＵを備えているので、ＣＤの曲データを高速で記録することができる。しかし、ＨＤＤレコーダは、ＰＣに比べると、ＣＰＵの処理能力が低く、ＣＤの曲データを高速で記録することができない。また、ＰＣと１又は複数のＨＤＤレコーダとを同一ユーザが所有しており、これらの機器にＣＤの同一曲データを各装置で異なるフォーマット、ビットレートで記録したい場合、各機器にコンテンツを記録する際のフォーマット、ビットレートを設定し、各機器にＣＤを挿入してＣＤの曲データを記録する指示を入力する必要があるので、その操作が非常に煩雑である。
【０００３】
下記特許文献１は、以下の内容を記載する。デジタルデータが送信される各端末機器にて再生可能なデジタルデータの種類および再生可能なフォーマットに関するパラメータを、利用者がフォーマット入力手段から入力して、各端末機器毎にテーブルとしてフォーマット記憶手段に記憶させておく。デジタルデータを端末機器に送信する際には、利用者がデジタルデータの種類およびフォーマットに関するパラメータを入力しなくても、フォーマット記憶手段に記憶させたパラメータに基づいて、デジタルデータを複数種類の端末機器に適したフォーマットに変換して送信する。
【０００４】
この技術によると、コンテンツ変換送信装置が、ユーザによって設定されたフォーマットにデジタルデータを変換して、端末装置に送信することができるが、ユーザによって設定されたフォーマットにコンテンツ変換送信装置が変換できない場合に、所望のフォーマットのデジタルデータを端末装置に送信できないという問題がある。
【０００５】
【特許文献１】特開２００３−３００９９号公報
【特許文献２】特開２００４−４６７８９号公報
【発明の開示】
【発明が解決しようとする課題】
【０００６】
本発明は上記従来の課題を解決するためになされたものであり、その目的は、非常に簡単なユーザ操作のみで、第１コンテンツ記録装置に外部の記録媒体から読み出されたコンテンツを記録する際に、第１コンテンツ記録装置に接続可能な第２コンテンツ記録装置にも、同一コンテンツを、各装置毎に設定されたコンテンツ形式で記録することができるコンテンツ記録システムを提供することである。
【課題を解決するための手段】
【０００７】
本発明の好ましい実施形態によるコンテンツ記録システムは、第１コンテンツ記録装置と、該第１コンテンツ記録装置に接続可能であり、該第１記録装置に記録させるコンテンツと同一のコンテンツを記録させる１又は複数の第２コンテンツ記録装置とを備え、該第１コンテンツ記録装置が、コンテンツを記憶するための第１記憶部と、該第２コンテンツ記録装置から、該第２コンテンツ記録装置で対応可能なコンテンツ形式の情報を受信する情報受信手段と、該第１コンテンツ記録装置、及び、１又は複数の該第２コンテンツ記録装置毎に、コンテンツを記録する際のコンテンツ形式を設定する設定手段と、外部の記録媒体に記録されているコンテンツを読み出して、該設定手段によって設定された該第１コンテンツ記録装置に対するコンテンツ形式に、読み出したコンテンツを変換し、該第１記憶部に記憶させる変換手段と、該第１コンテンツ記録装置によって、該設定手段によって設定された該第２コンテンツ記録装置に対するコンテンツ形式にコンテンツを変換可能か否かを判断する判断手段と、該判断手段によって変換可能と判断されたとき、該変換手段によって生成されたコンテンツ、又は、該記録媒体から読み出した未変換のコンテンツを、該設定手段によって設定された該第２コンテンツ記録装置に対するコンテンツ形式に変換し、変換したコンテンツを該第２コンテンツ記録装置に送信する第１コンテンツ送信手段と、該判断手段によって変換不可能と判断されたとき、該変換手段によって生成されたコンテンツ、又は、該記録媒体から読み出した未変換のコンテンツと、該設定手段によって設定された該第２コンテンツ記録装置に対するコンテンツ形式の情報を含む変換指示とを該第２コンテンツ記録装置に送信する第２コンテンツ送信手段とを有し、該第２コンテンツ記録装置が、コンテンツを記憶するための第２記憶部と、該第１コンテンツ記録装置に、該第２コンテンツ記録装置で対応可能なコンテンツ形式の情報を送信する情報送信手段と、該第１コンテンツ記録装置から、コンテンツのみを受信する、又は、コンテンツと該変換指示とを受信するコンテンツ受信手段と、該コンテンツ受信手段によって該変換指示を受信しない場合には、受信したコンテンツを該第２記憶部に記憶させ、該コンテンツ受信手段によって該変換指示を受信する場合には、受信したコンテンツを該変換指示に含まれるコンテンツ形式に変換し、該第２記憶部に記憶させる記録手段とを有する。
【０００８】
第１コンテンツ記録装置は、第２コンテンツ記録装置から、第２コンテンツ記録装置で対応可能なコンテンツ形式（例えば、フォーマット、ビットレート）の情報を受信し、第１コンテンツ記録装置、及び、１又は複数の第２コンテンツ記録装置毎に、コンテンツを記録する際のコンテンツ形式を設定する。例えば、第２コンテンツ記録装置のコンテンツ形式は、ユーザ操作によって選択されて設定されてもよく、第２コンテンツ記録装置に予め設定されている場合、第２コンテンツ記録装置から設定内容を受信して設定してもよい。第１コンテンツ記録装置は、外部の記録媒体に記録されているコンテンツを読み出して、設定されている第１コンテンツ記録装置に対するコンテンツ形式に、読み出したコンテンツを変換し、自身の第１記憶部に記憶させる。さらに、第１コンテンツ記録装置は、自身が第２コンテンツ記録装置に対するコンテンツ形式にコンテンツを変換可能であれば、コンテンツを、第２コンテンツ記録装置に対するコンテンツ形式に変換し、第２コンテンツ記録装置に送信し、自身が第２コンテンツ記録装置に対するコンテンツ形式にコンテンツを変換不可能であれば、コンテンツと変換指示とを第２コンテンツ記録装置に送信する。第２コンテンツ記録装置は、第１コンテンツ記録装置からコンテンツを受信するとき、変換指示を受信しない場合には、受信したコンテンツを第２記憶部にそのまま記憶させ、変換指示を受信する場合には、受信したコンテンツを変換指示に含まれるコンテンツ形式に変換し、第２記憶部に記憶させる。従って、第２コンテンツ記録装置に対するコンテンツ形式に第１コンテンツ記録装置が変換できるか否かに関わらず、第１コンテンツ記録装置に外部の記録媒体から読み出されたコンテンツを記録する際に、第２コンテンツ記録装置にも、同一コンテンツを第２コンテンツ記録装置に対するコンテンツ形式で記録することができる。すなわち、第１コンテンツ記録装置が優先的に第２コンテンツ記録装置用のコンテンツに変換するが、第１コンテンツ記録装置で変換できない場合のみ、第２コンテンツ記録装置に変換させる。なお、ユーザの操作としては、第１コンテンツ記録装置に記録指示を入力するだけでよいので、ユーザ操作をきわめて簡単化することができる。
【０００９】
好ましい実施形態においては、前記第１コンテンツ記録装置が、前記設定手段によって設定された第１コンテンツ記録装置に対するコンテンツ形式から、該設定手段によって設定された第２コンテンツ記録装置に対するコンテンツ形式に、前記第２コンテンツ記録装置が変換可能か否かを判断する第２判断手段をさらに有し、該第２判断手段によって変換可能であると判断されたとき、前記第２コンテンツ送信手段が、前記変換手段によって生成されたコンテンツと、前記変換指示とを該第２コンテンツ記録装置に送信し、該第２判断手段によって変換不可能であると判断されたとき、該第２コンテンツ送信手段が、前記記録媒体から読み出した未変換のコンテンツと、該変換指示とを該第２コンテンツ記録装置に送信する。
【００１０】
第２コンテンツ記録装置でコンテンツを変換する際、第２コンテンツ記録装置が第１コンテンツ記録装置に対するコンテンツ形式から第２コンテンツ記録装置に対するコンテンツ形式に変換できない場合には、記録媒体から読み出された未変換のコンテンツが第２コンテンツ記録装置に送信されるので、第２コンテンツ記録装置は、未変換のコンテンツを第２コンテンツ記録装置に対するコンテンツ形式に変換することができる。一方、第２コンテンツ記録装置が第１コンテンツ記録装置に対するコンテンツ形式から第２コンテンツ記録装置に対するコンテンツ形式に変換できる場合には、第１コンテンツ記録装置に対するコンテンツ形式のコンテンツが第２コンテンツ記録装置に送信されるので、第１コンテンツ記録装置が別途未変換のコンテンツを記録媒体から読み出して一時的に保存しておく必要がない。
【００１１】
本発明の別の局面においては、上記第１コンテンツ記録装置、第２コンテンツ記録装置の動作プログラムが提供され得る。
【発明の効果】
【００１２】
本発明によると、簡単なユーザ操作のみで、第２コンテンツ記録装置に対するコンテンツ形式に第１コンテンツ記録装置が変換できるか否かに関わらず、第１コンテンツ記録装置に外部の記録媒体から読み出されたコンテンツを記録する際に、第２コンテンツ記録装置にも、同一コンテンツを第２コンテンツ記録装置に対するコンテンツ形式で記録することができる。
【発明を実施するための最良の形態】
【００１３】
図１は、本発明の好ましい実施形態によるコンテンツ記録システムを示すブロック図である。コンテンツ記録システムは、１又は複数の第１コンテンツ記録装置１００（本例では１つのコンテンツ記録装置１００）と、１又は複数の第２コンテンツ記録装置２００（本例では２つのコンテンツ記録装置２００Ａ，２００Ｂ）とを備える。第１コンテンツ記録装置１００は、代表的には、比較的処理能力の高い制御部を備える機器であり、例えばＰＣ（パーソナルコンピュータ）等が適用され得る（以下、ＰＣ１００という）。第２コンテンツ記録装置２００は、代表的には、第１コンテンツ記録装置１００と比べて処理能力が低い制御部を備える機器であり、例えばＨＤＤレコーダ等のオーディオ機器が適用され得る（以下、ＨＤＤレコーダ２００Ａ，２００Ｂという）。ＰＣ１００とＨＤＤレコーダ２００とは、ＬＡＮ、インターネット等のネットワークや、ＵＳＢ、ＩＥＥＥ１３９４、ＨＤＭＩ等の任意のインターフェースを介して相互に接続可能である（本例ではＬＡＮを介して接続されている）。「コンテンツ」とは、映像データ、曲（音楽）データ、静止画データ等の総称であり、本例においては曲データである。また、「コンテンツ形式」とは、コンテンツのフォーマットおよびビットレート等のコンテンツを記録する際の形式をいう。また、「対応可能」とは、コンテンツを再生可能、記録可能、変換可能、及び／又は、送受信可能等を意味する。
【００１４】
概要を説明すると、ユーザ操作によってＰＣ１００に対して、記録媒体（例えば、ＣＤ）の曲データをＰＣ１００用のコンテンツ形式で記録する指示、及び、ＨＤＤレコーダ２００に各ＨＤＤレコーダ用の所望のコンテンツ形式で記録する指示が入力される。ＰＣ１００は、ＣＤに記録されている曲データを、自身のＨＤＤ１３にＰＣ用のコンテンツ形式で記録すると同時に、接続されているＨＤＤレコーダ２００に、各ＨＤＤレコーダ２００用の所望のコンテンツ形式に変換された曲データを転送する。また、ＰＣ１００は、ＨＤＤレコーダ２００用の所望のコンテンツ形式に変換できない場合、例えば未変換（ＰＣＭ形式）の曲データをＨＤＤレコーダ２００に転送し、かつ、変換指示をＨＤＤレコーダ２００に送信する。ＨＤＤレコーダ２００は、ＰＣ１００から転送された曲データをそのまま自身のＨＤＤに記録するか、又は、変換指示に応じて、ＰＣ１００から転送された曲データをＨＤＤレコーダ２００用のコンテンツ形式に変換して自身のＨＤＤに記録する。
【００１５】
［ＰＣ１００の構成］
ＰＣ１００は、ＣＰＵ等の制御部１１と、メモリ１２と、ハードディスクドライブ（ＨＤＤ）等の記憶部１３と、通信部１４と、光ディスクドライブ１５と、再生処理部１６と、表示部１８と、操作部１９とを備え、これらはバス等で相互に接続される。必要に応じて、ＰＣ１００は、再生処理部１６に接続された図示しないスピーカーをさらに備えてもよい。通信部１４は、例えばＬＡＮケーブルを介してＨＤＤレコーダ２００Ａ，２００Ｂと接続されている。
【００１６】
光ディスクドライブ１５は、ＣＤ等の外部の記録媒体が挿入されたとき、挿入されたＣＤ内の複数の曲データを読み出す。ＨＤＤ１３は、光ディスクドライブ１５により読み出された複数の曲データを、制御部１１によって設定されたフォーマット、ビットレートに変換して、及び／又は、未変換の状態で、記録する。また、通信部１４と接続された図示しない他のコンピュータ装置から送信された複数の曲を記録してもよい。
【００１７】
ＨＤＤ１３は、曲テーブルを記憶する。曲テーブルには、ＨＤＤ１３に記憶された全ての曲に関するコンテンツ情報（属性情報のことであり、例えば、曲名、アーティスト名、アルバム名等）が管理される。コンテンツ情報は、例えば、通常の方法で、インターネット経由で外部のサーバから取得される。
【００１８】
制御部１１は、メモリ１２又はＨＤＤ１３に格納されている第１コンテンツ記録装置の動作プログラムに基づいて、ＰＣ１００全体を制御する。例えば、制御部１１は、曲データを記録するユーザ指示が入力されたときに、ＨＤＤレコーダ２００から機器名、対応フォーマット情報、対応ビットレート情報、及び、ＨＤＤレコーダ２００によってどのフォーマットからどのフォーマットに変換可能かの情報等を受信し、後述する対応形式テーブルを作成する。
【００１９】
また、制御部１１は、例えばユーザ操作によって、ＰＣ１００、ＨＤＤレコーダ２００Ａ，２００Ｂに曲データを記録する際のフォーマット及びビットレートが選択されることにより、各機器に対するフォーマット及びビットレートを設定する。あるいは、ＨＤＤレコーダに対するフォーマット及びビットレートがユーザ操作によってＨＤＤレコーダ２００に予め設定されている場合は、そのフォーマット及びビットレートがＰＣ１００に送信されて、制御部１１がそのフォーマット及びビットレートを設定してもよい。
【００２０】
また、制御部１１は、対応形式テーブルを参照して、設定されたフォーマット及びビットレートに、ＰＣ１００が曲データを変換可能か否かを判断する。変換可能であれば、制御部１１は、自身のＨＤＤ１３に曲データを記録すると同時に、曲データをＨＤＤレコーダ２００用のフォーマット及びビットレートに変換し、ＨＤＤレコーダ２００に転送する。変換可能でなければ、制御部１１は、自身のＨＤＤ１３に曲データを記録すると同時に、自身のＨＤＤ１３に記録したＰＣ１００用のフォーマット、ビットレートの曲データ、又は、ＣＤから読み出した未変換（ＰＣＭ）の曲データを、変換指示と併せて、ＨＤＤレコーダ２００に送信する。
【００２１】
メモリ１２は、リードオンリーメモリ（ＲＯＭ）とランダムアクセスメモリ（ＲＡＭ）とを含む。メモリ１２又はＨＤＤ１３は、図２に示す対応形式テーブルを記憶する。対応形式テーブルは、ＰＣ１００、ＨＤＤレコーダ２００Ａ，２００Ｂに関し、対応フォーマット及び対応ビットレート等を管理するテーブルである。対応形式テーブルにおいて、ＰＣ１００の情報は予め登録されており、ＨＤＤレコーダ２００Ａ，２００Ｂの情報は、ユーザ操作による記録指示が入力されたときに、ＰＣ１００がネットワーク上で接続可能なＨＤＤレコーダ２００を検索し、検索されたＨＤＤレコーダ２００から各情報を要求、取得することによって生成される。
【００２２】
対応形式テーブルは、各機器名に対応付けて、対応フォーマットと、対応ビットレートと、変換可否情報と、変換可能ビットレートと、転送先変換可能フォーマットとを含む。変換可否情報は、対応フォーマットに対する少なくとも１つの対応ビットレートに、ＰＣ１００が曲データを変換することができるか否かを示す情報である。変換可能ビットレートは、対応フォーマットに対する対応ビットレートのうち、ＰＣ１００がそのフォーマットおよびビットレートに変換できるビットレートが抽出され、登録される。すなわち、変換可能ビットレートには、対応フォーマットの対応ビットレートの中で、ＰＣ１００の対応フォーマットの対応ビットレートと共通するビットレートが登録される。
【００２３】
例えば、ＰＣ１００はＭＰ３の９６，１２８，１６０，１９２，２５６ｋｂｐｓに対応可能であり、ＨＤＤレコーダ２００ＡはＭＰ３の１２８，１６０，１９２，２５６ｋｂｐｓに対応可能である。この場合、ＨＤＤレコーダ２００ＡのＭＰ３に対応する変換可否情報は「可」とされ、変換可能ビットレートは「１２８，１６０，１９２，２５６」が登録されている。
【００２４】
また、ＰＣ１００はＡＡＣの１２８，１９２，２５６ｋｂｐｓに対応可能であり、ＨＤＤレコーダ２００ＢはＡＡＣの１１２，１２８，１９２，２５６ｋｂｐｓに対応可能である。この場合、ＨＤＤレコーダ２００ＢのＡＡＣに対応する変換可否情報は「可」とされ、変換可能ビットレートは「１２８，１９２，２５６」が登録されている。
【００２５】
また、ＰＣ１００はＡｔｒａｃ３に対応しておらず、ＨＤＤレコーダ２００ＢはＡｔｒａｃ３の１０８，１３２ｋｂｐｓに対応可能である。この場合、ＨＤＤレコーダ２００ＢのＡＡＣに対応する変換可否情報は「否」とされ、変換可能ビットレートには何も登録されていない。
【００２６】
また、転送先変換可能フォーマットは、ＨＤＤレコーダ２００が、対応フォーマットのフィールドに登録されているフォーマットからどのフォーマットに変換可能であるかを示すものである。例えば、ＨＤＤレコーダ２００Ａは、ＭＰ３からＡｔｒａｃ３のみに変換でき、ＡＡＣには変換できない。また、ＨＤＤレコーダ２００Ｂは、Ａｔｒａｃ３からＭＰ３のみに変換でき、ＭＰ３からは他のフォーマットに変換できない。転送先変換可能フォーマットは、ＨＤＤレコーダ２００側で曲データを変換する際に、ＰＣ１００が、ＰＣ１００に対するフォーマットの曲データを送信するか、未変換の曲データを送信するかを判断する情報である。
【００２７】
表示部１８は、ＰＣ１００、ＨＤＤレコーダ２００Ａ，２００Ｂに対する、フォーマット、ビットレート、および、ＨＤＤレコーダ２００Ａ，２００Ｂにおいて変換させるか否かを、ユーザに選択させる画面を表示するものであり、ＬＣＤ（液晶ディスプレイ）やＦＬ管等である。または、表示部１８が外部に接続されるディスプレイ装置であり、オーディオ機器１は、表示部１８を備える代わりに、外部ディスプレイにＯＳＤ表示させるＯＳＤ処理部が設けられてもよい。
【００２８】
図３は、表示部１８に表示される選択画面を示す図である。選択画面は、対応形式テーブルの登録内容に基づいて生成される。図３（ａ）は機器選択画面であり、ＰＣ１００、ＨＤＤレコーダ２００Ａ，２００Ｂが、対応形式テーブルの機器名フィールドから読み出されて表示されている。ユーザ操作によって機器名が選択されると、選択された機器に記録可能な曲データのフォーマットが、対応形式テーブルのフォーマットのフィールドから読み出されて、図３（ｂ）の選択画面が表示される。ユーザ操作によってフォーマットが選択されると、選択されたフォーマットに対応するビットレートが、対応形式テーブルのビットレートのフィールドから読み出されて、図３（ｃ）のビットレート選択画面が表示される。
【００２９】
ユーザ操作によってビットレートが選択されたとき、対応形式テーブルの変換可能ビットレートのフィールドに、選択されたビットレートが登録されていなければ、図３（ａ）の画面で選択されたＨＤＤレコーダ２００において、選択されたフォーマット及びビットレートに曲データを変換するか否かを設定する画面が図３（ｄ）のように表示される。なお、図３（ａ）でＰＣ１００が選択されている場合、又は、対応形式テーブルの変換可能ビットレートのフィールドに、選択されたビットレートが含まれている場合には、図３（ｄ）の選択画面は表示されない。ＰＣ１００で曲データを変換できるので、転送先のＨＤＤレコーダ２００で曲データを変換する必要がないからである。なお、図３の各画面で各機器に対するフォーマット、ビットレートが選択されると、制御部１１は、図６に示すように、メモリ１２内の設定値テーブルに選択内容を設定する（詳細後述）。
【００３０】
図４は、ＰＣ１００からＨＤＤレコーダ２００に送信される、曲データと変換指示とを含むパケットのデータ構造を示す図である。パケットは、先頭から順に、ＳｔａｒｔＩＤと、Ｃｏｖｅｒｔ情報（ｏｎ又はｏｆｆ）と、フォーマット情報と、ビットレート情報と、曲データ（必要に応じて、メタデータを含んでもよい）とを含む。ＳｔａｒｔＩＤは、ＨＤＤレコーダ２００にこのパケットが本発明に関する特別なパケットであることを通知するための情報である。Ｃｏｖｅｒｔ情報は、ＨＤＤレコーダ２００側で曲データを変換する必要があるか否かを示す情報であり、必要がある場合にｏｎであり、不要である場合にｏｆｆである。つまり、図３（ｄ）の画面で「ｏｎ」が選択され、図６の「ＨＤＤレコーダで自動変換」の欄が「ｏｎ」になっている場合に、Ｃｏｖｅｒｔ情報がｏｎになる。
【００３１】
フォーマット情報は、Ｃｏｖｅｒｔ情報がｏｎの場合に、ＨＤＤレコーダ２００で曲データを変換するフォーマットの情報が登録される。すなわち、フォーマット情報には、図３（ｂ）の画面で選択され、図６のフォーマットの欄に登録されているフォーマットの情報が含まれる。ビットレート情報は、Ｃｏｖｅｒｔ情報がｏｎの場合に、ＨＤＤレコーダ２００で曲データを変換するビットレートの情報が登録される。すなわち、ビットレート情報には、図３（ｃ）の画面で選択され、図６のビットレートの欄に登録されているビットレートの情報が含まれる。すなわち、Ｃｏｎｖｅｒｔ情報（ｏｎ）、フォーマット情報およびビットレート情報が本発明の変換指示に対応している。なお、Ｃｏｖｅｒｔ情報がｏｆｆの場合には、フォーマット情報及びビットレート情報の部分には何も含まれない。
【００３２】
図１に戻って、再生処理部１６は、マイコン１１によって選択された曲を、再生し、デコード処理、デジタル−アナログ変換、及び／又は、増幅処理等を実行する。図示しないスピーカーは、再生処理部１６から出力された音声信号を受け、音声として外部に出力する。操作部１９は、ユーザ操作を受け付けるものであり、操作ボタンやリモコン等である。
【００３３】
［ＨＤＤレコーダ２００の構成］
ＨＤＤレコーダ２００は、マイコン等の制御部２１と、メモリ２２と、ハードディスクドライブ（ＨＤＤ）等の記憶部２３と、通信部２４と、再生処理部２６と、表示部２８と、操作部２９とを備え、これらはバス等で相互に接続される。必要に応じて、ＨＤＤレコーダ２００は、光ディスクドライブ（図示せず）や、再生処理部２６に接続されたスピーカー（図示せず）をさらに備えてもよい。通信部２４は、例えばＬＡＮ経由でＰＣ１００と接続されている。
【００３４】
ＨＤＤ２３は、通信部２４を介して接続されたＰＣ１００から送信される曲データを記録する。また、ＨＤＤ２３は、曲テーブルを記憶する。曲テーブルには、ＨＤＤ１３に記憶された全ての曲に関するコンテンツ情報が管理される。
【００３５】
制御部２１は、メモリ２２又はＨＤＤ２３に格納されている第２コンテンツ記録装置の動作プログラムに基づいて、ＨＤＤレコーダ２００全体を制御する。例えば、制御部２１は、ＰＣ１００からの要求に応答して、自身の機器名、対応フォーマット情報、対応ビットレート情報、及び／又は、自身でどのフォーマットからどのオーマットに変換可能かを示す情報（以下、転送先変換可能フォーマットという。）をＰＣ１００に送信する。また、制御部２１は、ＰＣ１００から送信された図４のパケットに含まれている曲データを、ＨＤＤ２３に記録させる。この際に、パケット内のＣｏｎｖｅｒｔ情報がｏｎになっていれば（すなわち、変換指示が含まれていれば）、パケット内のフォーマット情報及びビットレート情報に従って、曲データを変換し、ＨＤＤ２３に記録させる。
【００３６】
再生処理部２６は、制御部２１によって選択された曲を、再生し、デコード処理、デジタル−アナログ変換、及び／又は、増幅処理等を実行する。スピーカーは、再生処理部２６から出力された音声信号を受け、音声として外部に出力する。表示部２８は、ユーザに曲データを選択させるために、曲データのリストを表示するものであり、ＬＣＤ（液晶ディスプレイ）やＦＬ管等である。または、表示部１８が外部に接続されるディスプレイ装置であり、ＨＤＤレコーダ２００は、表示部１８を備える代わりに、外部ディスプレイにＯＳＤ表示させるＯＳＤ処理部が設けられてもよい。操作部２９は、ユーザ操作を受け付けるものであり、操作ボタンやリモコン等である。
【００３７】
以下、本発明のコンテンツ記録システムの動作を、図５のシーケンス図を参照して、説明する。まず、ユーザ操作によって、ＰＣ１００の光ディスクドライブに音楽ＣＤが挿入されて、曲データの記録開始指示が操作部１９を介して入力される（Ｓ２０１）。これに応じて、ＰＣ１００は、現在ネットワーク上で稼働状態にあり自身に接続可能な１又は複数のＨＤＤレコーダ２００の検索処理を実行する（Ｓ２０２）。詳細には、例えばＰＣ１００やＨＤＤレコーダ２００がＵＰｎＰＡＶに対応している場合、ＰＣ１００は、ＵＰｎＰ−ＳＳＤＰ検索コマンドをネットワーク上にブロードキャストする。稼働しているＨＤＤレコーダ２００は、これに応答して、ＵＰｎＰ−ＳＳＤＰ検索応答コマンドをＰＣ１００に返信する。ここでは、ＨＤＤレコーダ２００Ａ，２００Ｂが検索されたとする。
【００３８】
次に、ＰＣ１００は、検索されたＨＤＤレコーダ２００Ａ，２００Ｂに対して、機器名、対応フォーマット情報、対応ビットレート情報、転送先変換可能フォーマット等を問い合わせるコマンドを送信する（Ｓ２０３）。ＨＤＤレコーダ２００Ａ，２００Ｂはこれに応答して、機器名、対応フォーマット情報、対応ビットレート情報、及び／又は、転送先変換可能フォーマットをＰＣ１００に返信する（Ｓ２０４，Ｓ２０５）。ＰＣ１００は、ＨＤＤレコーダ２００Ａ，２００Ｂから機器名、対応フォーマット情報、対応ビットレート情報、及び／又は、転送先変換可能フォーマットを受信すると、図２のように、対応形式テーブルを生成する（Ｓ２０６）。すなわち、ＰＣ１００は、対応形式テーブルにおいて、機器名、対応フォーマット、対応ビットレートのフィールドに、ＨＤＤレコーダ２００から受信した各情報を登録する。また、ＰＣ１００は、変換可否情報および変換可能ビットレートのフィールドを、予め登録されている自身の対応フォーマット及び対応ビットレートと、受信した各情報を比較して、登録する。
【００３９】
続いて、ＰＣ１００は、図３に示す各選択画面を表示部１８に表示して、ＰＣ１００、ＨＤＤレコーダ２００Ａ，２００Ｂに曲データを記録する際のフォーマット及びビットレートを選択させ、設定する（Ｓ２０７）。選択されたフォーマット、ビットレートの情報は、図６の設定値テーブルで設定値としてメモリ１２に記憶される。例えば、図３のように、ＨＤＤレコーダ２００Ｂについては、フォーマットがＡｔｒａｃ３、ビットレートが１３２ｋｂｐｓに選択され、このフォーマット及びビットレートにＰＣ１００は変換できないので、ＨＤＤレコーダ２００側で変換すること（自動変換ｏｎ）が選択され、設定される。同様に、図６のように、ＨＤＤレコーダ２００Ａについては、フォーマットがＭＰ３、ビットレートが１９２ｋｂｐｓに選択され、設定され、このフォーマット及びビットレートにＰＣ１００は変換可能であるので、自動変換の選択画面は表示されない。また、ＰＣ１００については、フォーマットがＭＰ３、ビットレートが２５６ｋｂｐｓに選択され、設定される。
【００４０】
続いて、ＰＣ１００は、Ｓ２０７で設定されたフォーマット及びビットレートに自身で曲データを変換できず、転送先のＨＤＤレコーダ２００で曲データを変換する必要があるか否かを、図６の設定値を参照して判断する（Ｓ２０８）。その結果、ＨＤＤレコーダ２００Ａについては、転送先で変換する必要がないと判断され、ＨＤＤレコーダ２００Ｂについては、転送先で変換する必要があると判断される。
【００４１】
次に、ＰＣ１００は、ＨＤＤレコーダ２００Ａ，２００Ｂに送信するパケットに曲データ以外の情報を埋め込む（Ｓ２０９）。すなわち、ＨＤＤレコーダ２００Ａに送信するパケットには、図７に示すようにＣｏｎｖｅｒｔ情報にｏｆｆを埋め込み、フォーマット情報及びビットレート情報には何も埋め込まない。また、ＨＤＤレコーダ２００Ｂに送信するパケットには、図４に示すようにＣｏｎｖｅｒｔ情報にｏｎを、フォーマット情報にＡｔｒａｃ３を、ビットレート情報に１３２ｋｂｐｓをそれぞれ埋め込む。
【００４２】
次に、ＰＣ１００は、ＣＤからＰＣＭ形式の曲データを読み出して、当該曲データを図６の設定値を参照し、ＰＣ１００に対応するフォーマットＭＰ３、ビットレート２５６ｋｂｐｓに変換して、自身のＨＤＤ１３に記録するための曲データを生成する。そして、ＰＣ１００は、生成した曲データをＨＤＤ１３に記録させる（Ｓ２１０）。
【００４３】
このとき、ＨＤＤレコーダ２００側で曲データを変換する必要がある場合に、ＰＣ１００は、対応形式テーブルを参照して、ＨＤＤレコーダ２００が、ＰＣ１００に対するフォーマット（及びビットレート）からＨＤＤレコーダ２００に対するフォーマット（及びビットレート）に変換可能か否かを判断する。ＰＣ１００は、ＰＣ１００用に生成した曲データのフォーマット、ビットレートからは、ＨＤＤレコーダ２００用に設定されているフォーマット、ビットレートに変換できない場合、ＣＤから読み出した曲データをＰＣＭ形式のままでＨＤＤ１３に一旦保存し、ＨＤＤ１３に保存したＰＣＭ形式の曲データからＰＣ１００に対するフォーマットＭＰ３、ビットレート２５６ｋｂｐｓの曲データを別途生成して、ＨＤＤ１３に保存する。すなわち、ＨＤＤ１３には、ＰＣＭの曲データと、ＭＰ３の曲データとが記録されることになる。
【００４４】
例えば、ＨＤＤレコーダ２００Ｂについては、図６の設定値を参照するとＨＤＤレコーダ２００Ｂが曲データをＡｔｒａｃ３の１３２ｋｂｐｓに変換する必要があるが、図２の転送先変換可能フォーマットのフィールドを参照すると、ＨＤＤレコーダ２００Ｂは、ＭＰ３からＡｔｒａｃ３に変換することができない。従って、ＨＤＤレコーダ２００Ｂには、曲データをＭＰ３からではなくＰＣＭからＡｔｒａｃ３に変換させる必要があるので、ＰＣ１００は、曲データをＰＣＭでもＨＤＤ１３に保存しておく必要がある。
【００４５】
一方、いずれのＨＤＤレコーダ２００においても、ＰＣ１００用に生成した曲データのフォーマット、ビットレートから、ＨＤＤレコーダ２００用に設定されているフォーマット、ビットレートに変換できる場合、ＰＣ１００はＰＣＭの曲データをＨＤＤ１３に保存しなくてよい。
【００４６】
次に、ＰＣ１００は、ＨＤＤレコーダ２００Ａ，２００Ｂについて、各ＨＤＤレコーダ２００用の曲データ及びパケットを生成し、ＨＤＤレコーダ２００に送信する順番を決定する。例えば、ＨＤＤレコーダ２００用の曲データを生成して、ＨＤＤレコーダ２００に送信され、ＨＤＤレコーダ２００のＨＤＤ２３に記録される（必要に応じて、ＨＤＤレコーダ２００側で曲データが変換される）までの合計時間が短いＨＤＤレコーダ２００から順に曲データが転送される。詳細には、ＰＣ１００は、ＰＣ１００における曲データのＨＤＤレコーダ２００用の曲データへの予測変換時間と、曲データを含むパケットのＨＤＤレコーダ２００への予測転送時間と、ＨＤＤレコーダ２００における曲データの予測変換時間との合計をＨＤＤレコーダ２００毎に算出して、その値が小さい順に曲データを転送する。
【００４７】
なお、ＰＣ１００における曲データのＨＤＤレコーダ２００用の曲データへの予測変換時間は、設定されたフォーマット、ビットレートと曲データのサイズから算出される。予測転送時間は、ネットワーク状況と生成後の曲データのサイズから算出される。ＨＤＤレコーダ２００における曲データの予測変換時間は、ＨＤＤレコーダ２００に対して、設定されたフォーマット、ビットレートと曲データのサイズとを通知して、ＨＤＤレコーダ２００側で算出して、ＰＣ１００に返信すればよい。
【００４８】
順番の決定方法としては、これに限定されず、予め優先順位をユーザ操作によって決めおく方法や、ユーザによって使用される頻度の高いＨＤＤレコーダに先に送信する方法などでもよい。
【００４９】
本例では、ＰＣ１００は、ＨＤＤレコーダ２００Ａに先に曲データを転送し、その後、ＨＤＤレコーダ２００Ｂに曲データを転送する。
【００５０】
まず、ＰＣ１００は、ＨＤＤレコーダ２００Ａに転送する曲データを生成する（Ｓ２１２）。すなわち、ＰＣ１００は、図６の設定値を参照し、ＨＤＤ１３に記録されているＭＰ３、２５６ｋｂｐｓのＰＣ１００用の曲データを、ＭＰ３、１９２ｋｂｐｓのＨＤＤレコーダ２００Ａ用の曲データに変換する。なお、この場合には、ＰＣＭ形式の曲データもＨＤＤ１３に保存されているので、ＰＣＭ形式の曲データからＭＰ３、１９２ｋｂｐｓの曲データに変換してもよい。そして、Ｓ２０９で生成したＨＤＤレコーダ２００Ａ用のパケットに曲データを埋め込んで、図７に示すパケットを完成させる。その後、ＰＣ１００は、ＨＤＤレコーダ２００Ａに生成したパケットを送信する（Ｓ２１４）。
【００５１】
ＨＤＤレコーダ２００Ａは、ＰＣ１００からパケットを受信する（Ｓ２１５）。そして、ＨＤＤレコーダ２００Ａは、受信したパケットのＳｔｒａｔＩＤをチェックし、本発明に対応するパケットであると判断し、以下の処理を行う。すなわち、ＨＤＤレコーダ２００Ａは、Ｃｏｖｅｒｔ情報がｏｎであるか（ＨＤＤレコーダ２００Ａが受信した曲データをフォーマット変換する変換指示が含まれているか）否かを判断する（Ｓ２１６）。ここでは、図７のようにＣｏｖｅｒｔ情報がｏｆｆになっているので、Ｓ２１７の処理をスキップし、パケットに含まれている曲データをＨＤＤ２３にそのまま記録させる（Ｓ２１８）。
【００５２】
次に、ＰＣ１００は、Ｓ２１０でＨＤＤ１３に保存したＰＣＭ形式の曲データを、ＨＤＤ１３から読み出して、ＨＤＤレコーダ２００Ｂ用のパケットに埋め込み、図４に示すパケットを完成させる（Ｓ２１９）。上記の通り、ＰＣ１００では、ＨＤＤレコーダ２００Ｂ用のフォーマット、ビットレートには変換できないからである。その後、ＰＣ１００は、ＨＤＤレコーダ２００Ｂに生成したパケットを送信する（Ｓ２２０）。
【００５３】
ＨＤＤレコーダ２００Ｂは、ＰＣ１００からパケットを受信する（Ｓ２２１）。そして、ＨＤＤレコーダ２００Ｂは、受信したパケットのＳｔｒａｔＩＤをチェックし、本発明に対応するパケットであると判断し、以下の処理を行う。すなわち、ＨＤＤレコーダ２００Ｂは、Ｃｏｖｅｒｔ情報がｏｎであるか（ＨＤＤレコーダ２００Ｂが受信した曲データをフォーマット変換する必要があるか）否かを判断する（Ｓ２２２）。ここでは、図４のようにＣｏｖｅｒｔ情報がｏｎになっているので、ＨＤＤレコーダ２００Ｂは、パケットに含まれているＰＣＭ形式の曲データを、パケットに含まれているフォーマットＡｔｒａｃ３、ビットレート１３２ｋｂｐｓに変換する（Ｓ２２３）。その後、ＨＤＤレコーダ２００Ｂは、変換した曲データをＨＤＤ２３に記録させる。
【００５４】
以上のように、ＰＣ１００にＣＤを挿入して、曲データの記録指示を入力するだけ、ＰＣ１００、ＨＤＤレコーダ２００Ａ、２００Ｂに自動的に、各機器に対して設定されたフォーマット、ビットレートに変換して記録することができる。
【００５５】
なお、Ｓ２０７でユーザ操作によって各機器用のフォーマット、ビットレートを設定するのではなく、予めＨＤＤレコーダ２００Ａ，２００Ｂにユーザ操作によってフォーマット、ビットレートが設定されている場合には、その情報をＳ２０３〜Ｓ２０５でＨＤＤレコーダ２００からＰＣ１００に送信しておき、ＰＣ１００がその情報を自動的に設定することも可能である。
【００５６】
以上、本発明の好ましい実施形態を説明したが、本発明はこれらの実施形態には限定されない。例えば、ＰＣ１００が本発明の第２コンテンツ記録装置に対応し、ＨＤＤレコーダ２００が本発明の第１コンテンツ記録装置に対応してもよい。また、ＰＣ１００、ＨＤＤレコーダ２００が、共に、第１コンテンツ記録装置と第２コンテンツ記録装置との両方の機能を備えていてもよい。この場合、ユーザが所有する複数の機器の中から所望の機器を操作することによって、全機器に同一の曲データを異なるコンテンツ形式で記録することができる。また、変換指示は、曲データのパケットに含まれずに、別のコマンドで送信されてもよい。本発明は、上記のＰＣ１００、ＨＤＤレコーダ２００を動作させるためのコンピュータプログラムまたはそのコンピュータプログラムを記録した記録媒体という形態で提供されてもよい。
【産業上の利用可能性】
【００５７】
本発明はＰＣ、ＨＤＤレコーダ等のオーディオ機器に好適に適用され得る。
【図面の簡単な説明】
【００５８】
【図１】本発明の好ましい実施形態によるコンテンツ記録システムを示すブロック図である。
【図２】対応形式テーブルを示す図である。
【図３】選択画面を示す図である。
【図４】変換指示を含むパケットを示す図である。
【図５】コンテンツ記録システムの動作を示すフローチャートである。
【図６】設定値テーブルを示す図である。
【図７】変換指示を含まないパケットを示す図である。
【符号の説明】
【００５９】
１００      第１コンテンツ記録装置
２００      第２コンテンツ記録装置
【図１】
0005028705.tif 000002
【図２】
0005028705.tif 000003
【図４】
0005028705.tif 000004
【図５】
0005028705.tif 000005
【図６】
0005028705.tif 000006
【図７】
0005028705.tif 000007
【図３】
0005028705.tif 000008